【事件の表示】
　特願２００２−５７０５２８「ビデオ表示装置」拒絶査定不服審判事件〔平成１４年　９月１２日国際公開、ＷＯ０２／７１７４６、平成１６年　７月　２日国内公表、特表２００４−５１９７２５〕について、次のとおり審決する。
【結　論】
　本件審判の請求は、成り立たない。
【理　由】
第１　手続の経緯
　本願は、平成１４年（２００２年）１月４日（パリ条約に基づく優先権主張；平成１３年１月４日）の国際出願（特願２００２−５７０５２８号）であって、平成１９年９月１９日付けで手続補正がなされ、同年１０月３１日付けで拒絶査定がなされ、これに対して、平成２０年２月４日付けで拒絶査定不服審判の請求がなされ、同年２月２６日付けで手続補正がなされたものである。
　その後、平成２０年１０月１５日付けで請求人に対する審尋が行なわれ、期間を指定して回答書を提出する機会を与えたが、請求人からは何らの応答もない。
　
第２　平成２０年２月２６日付けの手続補正について
　平成２０年２月２６日付けの手続補正により、特許請求の範囲は、平成１９年９月１９日付け手続補正により補正された特許請求の範囲に記載の、
「【請求項１】　ビデオ表示装置であって、
　ディスプレイ画面と、
　前記ディスプレイ画面上で画像を発生させるために通常のビデオ表示モードの間に付勢されるバックライト・ランプと、
　入力電源オン制御信号と入力電源オフ制御信号の源と、
　前記電源オフ制御信号に応答し、前記ランプに結合され、前記電源オフ制御信号の発生後の第１の期間の間、前記ランプを付勢し続けると共に、前記第１の期間の終了後に前記ランプに供給されるエネルギを減らすことにより前記ランプの動作を不能にするためのタイマーであって、前記第１の期間の間に前記電源オン制御信号が生じると、前記ランプが前記入力電源オン制御信号の発生後に動作を不能にされるのを防止されて、代わりに、前記通常のビデオ表示モードの動作が再開される、前記タイマーと、
　前記電源オフ制御信号に応答し、光源を含み、前記ディスプレイ画面を除く、前記第１の期間に電源オフ・モードに見せかけるための電源オフ表示器と、からなる前記ビデオ表示装置。
　　【請求項２】　ディスプレイ画面が、前記第１の期間にオフになり前記第１の期間の間、電源オフ・モードに見せかける、請求項１記載のビデオ表示装置。
　　【請求項３】　前記第１の期間に前記光源の見かけが前記通常のビデオ表示モードのものとは異なり、前記第１の期間の間、電源オフ・モードに見せかける、請求項２記載のビデオ表示装置。
　　【請求項４】　前記光源が、発光ダイオードからなる、請求項３記載のビデオ表示装置。
　　【請求項５】　前記装置が更に、前記電源オフ制御信号に応答して、前記第１の期間に前記音声変換器からの音声出力をオフにするための音声変換器を含む、請求項２記載のビデオ表示装置。
　　【請求項６】　前記第１の期間の開始後に、前記電源オフ制御信号の発生が、無視される、請求項１記載のビデオ表示装置。
　　【請求項７】　前記ランプが、液晶ディスプレイにおいてバックライトを供給する、請求項１記載のビデオ表示装置。
　　【請求項８】　前記ランプが、ＬＣＯＳ表示装置においてバックライトを供給する、請求項１記載のビデオ表示装置。
　　【請求項９】　ビデオ表示装置であって、
　　バックライト・ランプと
　　ユーザの起動による電源オン制御信号およびユーザの起動による第２の制御信号の源と、
を含み、
　前記電源オン制御信号は、前記ランプに結合され、電源オン・モードの間に前記ランプに選択的にエネルギを付与して画像をディスプレイ画面上に発生させ、
　前記第２の制御信号に応答し、前記ランプに結合され、前記第２の制御信号の発生の後、第１の遅延期間の間に前記ランプが付勢された状態を維持し、前記第１の遅延期間の後に前記ランプに付与される前記エネルギを減少させて前記ランプの動作を不能にする第１のタイマーであって、前記第１の遅延期間の間に前記電源オン制御信号が生じると、代わりに、前記電源オン・モードが続けられる、前記第１のタイマーと、
　前記電源オン・モードの動作と前記第１の遅延期間の間に発生する動作とを区別するために、ユーザに対し、前記電源オン・モードに与えられる表示とは異なる表示を前記第１の遅延期間の間に与える前記ディスプレイ画面を除いた光表示器と、
を含む、前記ビデオ表示装置。」が
　
「【請求項１】　ビデオ表示装置であって、
　ディスプレイ画面と、
　前記ディスプレイ画面上で画像を発生させるために通常のビデオ表示モードの間に付勢されるバックライト・ランプと、
　入力電源オン制御信号と入力電源オフ制御信号の源と、
　前記電源オフ制御信号に応答し、前記ランプに結合され、前記電源オフ制御信号の発生後の第１の期間の間、前記ランプを付勢し続けると共に、前記第１の期間の終了後に前記ランプの付勢を止めるためのタイマーであって、前記第１の期間の間に前記電源オン制御信号が生じると、前記ランプが前記入力電源オン制御信号の発生後に付勢を止められるのを防止されて、代わりに、前記通常のビデオ表示モードの動作が再開される、前記タイマーと、
　前記電源オフ制御信号に応答し、光源を含み、前記ディスプレイ画面を除く、前記第１の期間に電源オフ・モードに見せかけるための電源オフ表示器と、からなる前記ビデオ表示装置。
　　【請求項２】　ディスプレイ画面が、前記第１の期間にオフになり前記第１の期間の間、電源オフ・モードに見せかける、請求項１記載のビデオ表示装置。
　　【請求項３】　前記第１の期間に前記光源の見かけが前記通常のビデオ表示モードのものとは異なり、前記第１の期間の間、電源オフ・モードに見せかける、請求項２記載のビデオ表示装置。
　　【請求項４】　前記光源が、発光ダイオードからなる、請求項３記載のビデオ表示装置。
　　【請求項５】　前記装置が更に、前記電源オフ制御信号に応答して、前記第１の期間に前記音声変換器からの音声出力をオフにするための音声変換器を含む、請求項２記載のビデオ表示装置。
　　【請求項６】　前記第１の期間の開始後に、前記電源オフ制御信号の発生が、無視される、請求項１記載のビデオ表示装置。
　　【請求項７】　前記ランプが、液晶ディスプレイにおいてバックライトを供給する、請求項１記載のビデオ表示装置。
　　【請求項８】　前記ランプが、ＬＣＯＳ表示装置においてバックライトを供給する、請求項１記載のビデオ表示装置。
　　【請求項９】　ビデオ表示装置であって、
　　バックライト・ランプと
　　ユーザの起動による電源オン制御信号およびユーザの起動による第２の制御信号の源と、
を含み、
　前記電源オン制御信号は、前記ランプに結合され、電源オン・モードの間に前記ランプにエネルギを付与して画像をディスプレイ画面上に発生させ、
　前記第２の制御信号に応答し、前記ランプに結合され、前記第２の制御信号の発生の後、第１の遅延期間の間に前記ランプが付勢された状態を維持し、前記第１の遅延期間の後に前記ランプの付勢を止める第１のタイマーであって、前記第１の遅延期間の間に前記電源オン制御信号が生じると、代わりに、前記電源オン・モードが続けられる、前記第１のタイマーと、
　ユーザに対し、表示装置が電源オフにされているような偽の見せかけの表示を前記第１の遅延期間の間に与える、前記ディスプレイ画面を除いた光表示器と、
を含む、前記ビデオ表示装置。」と補正された。
　
　この補正は、明りょうでない記載の釈明を目的とするもの、すなわち、平成１８年法律第５５号改正附則第３条第１項により従前の例とされる同法による改正前の特許法第１７条の２第４項第１号及び第４号に掲げる事項を目的とするものであるから、適法な補正である。
　
第３　本願発明 
　本願の請求項１に係る発明（以下、「本願発明」という。）は、平成２０年２月２６日付けの手続補正によって補正された特許請求の範囲の請求項１に記載されたとおりのものである。（上記「第２　平成２０年２月２６日付けの手続補正について」の記載参照。）
　
第４　引用例
　原査定の拒絶の理由に引用され、本願の優先日前に頒布された刊行物である特開平１１−１１９３４０号公報（以下、「引用例１」という。）には、次の事項が記載されている。（後述の引用発明の認定において直接用いた記載に下線を付した。）
　
「【０００５】
【課題を解決するための手段】上記目的は、本発明にあっては、映像を映し出すための映像表示器と、放電により点灯して、映像表示器に映し出されている映像を光の照射によりスクリーンに表示する光源と、
電源のオフの指示があってから、遅延時間を経過した後に光源の点灯を停止する制御部と、を備えることを特徴とする映像表示装置
【０００６】本発明では、映像表示装置が映像を映し出している際に、光源は放電により点灯している。これにより光源は映像表示器に映し出されている映像をスクリーンに表示している。この際に、電源がオフされてから、制御部は遅延時間を経過した後に光源の点
灯を停止する。これにより、電源がオフされても、直ちには光源がオフにはならずある遅延時間を経過した後にオフになる。従って、ユーザのような映像表示装置の使用者は、電源を誤ってオフにしても、直ちに電源を再びオンにすれば放電により点灯している光源はオフにならず、そのまま映像表示状態を維持することができ、使用勝手がよい。
【０００７】本発明において、制御部が電源をオフした時に画ミュートと音声ミュートをかけるが、電源がオフされてから遅延時間を経過した後に光源の点灯を停止する。これにより、ユーザが誤って電源をオフにしても、画ミュートと音声ミュートがかかるのでその時点で直ぐに誤って電源をオフしたことがユーザに分かり、ユーザはこれにより再び電源をオンにすれば、放電により点灯している光源をオフしてしまうことがなくなる。」
　
「【０００９】図１は、本発明の
映像表示装置
リアプロジェクタ１は、上部キャビネット２と下部キャビネット３を有している。上部キャビネット２は、その前面側に長方形状のフレーム部４が形成されており、そのフレーム部４にはスクリーン５が取り付けられている。
【００１０】図１の下部キャビネット３は、スクリーン５とミラー１１の他に、投射装置１２及びその他の機器を収容している。下部キャビネット３の前面側にはスピーカ１３，１３と操作部１５、異常表示部１６等が配置されている。操作部１５は複数の操作ボタン１５ａを有している。また異常表示部１６は複数の例えば発光ダイオード（ＬＥＤ）１６Ａ，１６Ｂ，１６Ｃ等を有している。このリアプロジェクタ１に対しては付属のワイヤレス型のリモートコントローラ２０を備えている。
【００１１】図３は図１の上部キャビネット２と下部キャビネット３の内部構造例を示している。上部キャビネット２は、投影装置１２を有し、この投影装置１２はＲ（レッド）、Ｇ（グリーン）、そしてＢ（ブルー）に対応した液晶表示装置３０を有している。この液晶表示装置３０は、映像を映し出すための映像表示器であり、この液晶表示装置３０とスクリーン５の間にはプリズム３１とレンズ系３２が配置されている。このプリズム３１は、液晶表示装置３０のＲ（レッド）に対応した液晶パネル３０Ａ、Ｇ（グリーン）に対応した液晶パネル３０Ｂ、Ｂ（ブルー）に対応した液晶パネル３０Ｃにそれぞれ映し出されている画像を合成し、レンズ系３２がその合成された
映像を拡大してスクリーン５側に投影する。この時には、後で説明する下部キャビネット３の光源としてのランプ２４（当審注；「３５」は誤りと認める。）からの光の照射により、スクリーン５に対して投影することで液晶表示装置３０の映像が拡大表示される。
【００１２】次に、図３を参照して、図１の下部キャビネット３に内蔵されている回路構成例を説明する。図３において、リアプロジェクタ１の回路構成は次のようになっている。　図３では、信号の入力部９０，９１、信号の処理部９２、制御部６０を有しており、制御部６０は上述した信号の入力部９０と信号の処理部９２に電気的に接続されている。しかも制御部６０は、光源としてのランプ２４、ファン２５、温度センサ２６、電源ＰＳに電気的に接続されている。」
　
「【００３０】一方、制御部６０は、ランプ２４、ファン２５及び操作部１９のＬＥＤ１６Ａ，１６Ｂ，１６Ｃの点灯を制御する。
【００３１】制御部６０は、フィルタ異常検出、ファン異常検出、ランプ異常検出、温度異常検出等からなる異常検出機構を制御する。
【００３２】この制御部６０による異常状態の検出機構は、各種の異常状態を検出すると共に、電源を切る等の動作をし、且つ各種の異常状態に応じた表示をする。
【００３３】各種の異常状態の表示は、液晶プロジェクションテレビ１の前面の操作部１５の３個のＬＥＤ１６Ａ，１６Ｂ，１６Ｃの表示の組合せで表現する。これらのＬＥＤ１６Ａ，１６Ｂ，１６Ｃは通常は電源の状態を表示するようになっている。例えば
電源ＬＥＤ１６Ａは電源が入った時に点灯する。
【００３４】次に、図３を参照して各種異常状態について説明する。ランプ２４は、後で説明するが放電式で発光するランプであり、このランプ２４が発光して発熱するので、そのランプ２４はファン２５により冷却する必要がある。このランプ２４が異常である場合としては、ランプは放電により発光するために構造上点灯しないことがあり得るし、ランプ２４の寿命により切れることもある。ランプ異常検出信号ＬＥＳは、ランプ２４側から制御部６０側に送られることで、ランプ２４の不点灯を検出する。ランプ２４には寿命があり、ランプ２４が切れた時にはカバーを開けてユーザが交換できるようになっている。このランプ２４のカバーを開けてランプ２４自体のユニットを交換するのであるが、このランプ２４のカバー異常検出信号ＣＥＳは、このカバーが開けられていることを検出する。」
　
「【００４１】次に、図４と図５を参照して、電源を切った場合と電源を入れた場合における操作について説明する。まず図４を参照する。図４は、ユーザが就寝あるいは外出等で、リアプロジェクタ１のリモートコントローラ２０の電源キー２０Ａを押した場合、あるいはスクリーン５により映像を見ている途中でユーザがうっかりリモートコントローラ２０の電源キー２０Ａを押してしまった場合について示している。図４のステップＳ１において、
ユーザが図３のリモートコントローラ２０の電源キー２０Ａを押すと、受信部２０Ｃがこの電源キー２０Ａが押されたことを受信して制御部６０は、電源が切られたことを認識する。これにより、制御部６０はオーディオコントロール４９に信号を送ってスピーカ１３からの音声をミュート（遮断）するとともに、画面表示ＩＣ６２に対して信号を送って画ミュート（遮断）を行う
【００４２】そして、
制御部６０はステップＳ３に示すように、所定の遅延時間、例えば５秒間待って、ランプ点灯信号ＬＳを電源ＰＳに対して供給するのを停止する。
【００４３】図５のステップＳ１１では、
電源キー２０Ａが押されてオンになると、制御部６０がリモートコントローラ２０の電源キー２０Ａのオンにより電源が入ったことを認識している。
ランプ２４が点灯している場合にはステップＳ１３に移り、制御部６０がオーディオコントロール４９と画面表示ＩＣ６２に信号を送って画ミュート（画面ミュート）と音声ミュートを解除する。これにより音声はスピーカ１３から出力されるとともに、映像はスクリーン５に映し出される。
【００４４】これに対して、ステップＳ１２においてランプ２４が消えている場合には、ステップＳ１４に移る。このランプ２４がオフされてから例えば所定の遅延時間３０秒経過したかどうかを制御部６０が判断する。ステップＳ１４において３０秒経過していない場合にはステップＳ１５において遅延時間が３０秒経過するまで待つ。ステップＳ１５において、３０秒経過した場合あるいはステップＳ１４においてすでに３０秒経過している場合にはステップＳ１６に移り、制御部６０はランプ点灯信号ＬＳを電源ＰＳに供給することでランプ２４を点灯させる。そしてステップＳ１７において、制御部６０がオーディオコントロール４９と画面表示ＩＣ６２に信号を送って画ミュートと音声ミュートを解除する。
【００４５】以上のようにして、図４ではステップＳ１〜Ｓ３において、
ユーザが電源を切った場合に画ミュート及び音声ミュートを行った後に、所定の遅延時間例えば５秒待つことにより、ランプ２４は電源を切った時点での消灯を阻止することができる。
【００４６】ところで上述した実施の形態では遅延時間を図４のステップＳ３において５秒に設定しているが、これに限らず制御部６０は、例えば０秒，５秒，１０秒，１５秒，２０秒，２５秒，３０秒・・・等の各種値に切換えることができるようにしてもよい。またこのような遅延時間の設定は、制御部６０にあらかじめ組み込んでおくこともできるしあるいはソフトウェア的に設定することも勿論可能である。このようにすると、従来誤って電源キー２０Ａを押してしまってランプ２４が消灯してしまった場合に、少くともランプを再点灯させるには３０秒必要であったが、このような待ち時間が不要となりリアプロジェクタ１の使用勝手が向上する。
【００４７】ところで本発明は上記実施の形態に限定されない。上述した実施の形態では、映像表示装置として、液晶パネルを用いて、この液晶パネルの背面からランプの光を投射する形式のものを用いているが、これに限らず、他の方式のものも勿論採用することができる。またこのスクリーンに対して表示する画像の内容としてはテレビジョン受像機に表示する番組内容や、通常のプレゼンテーション用の映像あるいはその他の映像を表示することができる。」
　
　上記記載から、引用例１には、
「映像表示装置であって、
　下部キャビネット３の光源としてのランプ２４からの光の照射により、映像表示装置の前面のフレーム部４に取り付けられたスクリーン５に対して投影することで液晶表示装置３０の映像が拡大表示され、
　制御部６０は、光源としてのランプ２４、ファン２５、温度センサ２６、電源ＰＳに電気的に接続され、
　映像表示中に、リモートコントローラ２０の電源キー２０Ａを押すと、受信部２０Ｃがこの電源キー２０Ａが押されたことを受信して制御部６０は、電源が切られたことを認識し、これにより、制御部６０はオーディオコントロール４９に信号を送ってスピーカ１３からの音声をミュート（遮断）するとともに、画面表示ＩＣ６２に対して信号を送って画ミュート（遮断）を行い、
　制御部６０は、所定の遅延時間、例えば５秒間待って、ランプ点灯信号ＬＳを電源ＰＳに対して供給するのを停止し、
　これにより、５秒間の遅延時間が経過する前に、ランプ２４が消灯してしまう現象を防ぐことができ、
　上記の５秒間の遅延時間中に、電源キー２０Ａが押されてオンになると、制御部６０がリモートコントローラ２０の電源キー２０Ａのオンにより電源が入ったことを認識し、
　制御部６０がオーディオコントロール４９と画面表示ＩＣ６２に信号を送って画ミュート（画面ミュート）と音声ミュートを解除し、これにより音声はスピーカ１３から出力されるとともに、映像はスクリーン５に映し出され、
　また、電源が入ったときに点灯する電源ＬＥＤ１６Ａを有する映像表示装置。」の発明（以下、「引用発明」という。）が記載されている。
　
第５　対比
１　本願発明と引用発明とを対比する。
　
　引用発明の「映像表示装置」が、本願発明の「ビデオ表示装置」に相当する。
　
　引用発明の「スクリーン５」は、映像表示装置の前面のフレーム部４に取り付けられて、液晶表示装置３０の映像を表示するものであるから、本願発明の「ディスプレイ画面」に相当する。
　
　引用発明における「下部キャビネット３の光源としてのランプ２４からの光の照射により、スクリーン５に対して投影することで液晶表示装置３０の映像が拡大表示され」ることから、通常の表示モード中（の間）にランプ２４からの光の照射により映像が表示されることが窺えるから、引用発明の「ランプ２４」が、本願発明の「（ディスプレイ画面上で画像を発生させるために通常のビデオ表示モードの間に付勢される）バックライト・ランプ」に相当する。
　
　引用発明は「遅延時間」を計測しているので、当然に「タイマー」を備えているといえ、引用発明の「映像表示中に、リモートコントローラ２０の電源キー２０Ａを押すと、受信部２０Ｃがこの電源キー２０Ａが押されたことを受信して制御部６０は、電源が切られたことを認識し」、「制御部６０は、所定の遅延時間、例えば５秒間待って、ランプ点灯信号ＬＳを電源ＰＳに対して供給するのを停止」する構造が、本願発明の「入力電源オフ信号の源」を備え、「電源オフ制御信号に応答し、前記ランプに結合され、前記電源オフ制御信号の発生後の第１の期間の間、前記ランプを付勢し続けると共に、前記第１の期間の終了後に前記ランプの付勢を止めるためのタイマー」を備える構造に相当する。
　
　引用発明の「制御部６０は、所定の遅延時間、例えば５秒間待って、ランプ点灯信号ＬＳを電源ＰＳに対して供給するのを停止し」、「上記の５秒間の遅延時間中に、電源キー２０Ａが押されてオンになると、制御部６０がリモートコントローラ２０の電源キー２０Ａのオンにより電源が入ったことを認識し、制御部６０がオーディオコントロール４９と画面表示ＩＣ６２に信号を送って画ミュート（画面ミュート）と音声ミュートを解除し、これにより音声はスピーカ１３から出力されるとともに、映像はスクリーン５に映し出され」る構造が、本願発明の「入力電源オン制御信号の源」を備え、「前記第１の期間の間に前記電源オン制御信号が生じると、前記ランプが前記入力電源オン制御信号の発生後に付勢を止められるのを防止されて、代わりに、前記通常のビデオ表示モードの動作が再開される、前記タイマー」を備える構造に相当する。
　
　引用発明の「電源が入ったときに点灯する電源ＬＥＤ１６Ａ」は、光源からなる電源オンオフ表示器であって、ディスプレイ画面によってオンオフを表示すものではないから、引用発明の「電源が入ったときに点灯する電源ＬＥＤ１６Ａ」と、本願発明の「電源オフ制御信号に応答し、光源を含み、前記ディスプレイ画面を除く、前記第１の期間に電源オフ・モードに見せかけるための電源オフ表示器」とは、「光源を含み、前記ディスプレイ画面を除く、電源オフ表示器」である点で一致する。
　
２　一致点
　よって、本願発明と引用発明は、
「ビデオ表示装置であって、
　ディスプレイ画面と、
　前記ディスプレイ画面上で画像を発生させるために通常のビデオ表示モードの間に付勢されるバックライト・ランプと、
　入力電源オン制御信号と入力電源オフ制御信号の源と、
　前記電源オフ制御信号に応答し、前記ランプに結合され、前記電源オフ制御信号の発生後の第１の期間の間、前記ランプを付勢し続けると共に、前記第１の期間の終了後に前記ランプの付勢を止めるためのタイマーであって、前記第１の期間の間に前記電源オン制御信号が生じると、前記ランプが前記入力電源オン制御信号の発生後に付勢を止められるのを防止されて、代わりに、前記通常のビデオ表示モードの動作が再開される、前記タイマーと、
　光源を含み、前記ディスプレイ画面を除く、電源オフ表示器と、からなる前記映像表示装置。」の発明である点で一致し、次の点で相違する。
　
３　相違点
　光源を含み、前記ディスプレイ画面を除く、電源オフ表示器について、本願発明は、当該電源オフ表示器が「電源オフ制御信号に応答し」、「前記第１の期間（ランプ消灯の遅延時間）に電源オフ・モードに見せかける」ものであるのに対し、引用発明においてはその特定がなされていない点。
　
第６　当審の判断
１　次に、上記相違点について検討する。
　引用例１の【０００７】には、「ユーザが誤って電源をオフにしても、画ミュートと音声ミュートがかかるのでその時点で直ぐに誤って電源をオフしたことがユーザに分かり」と記載されていることから、引用発明において映像表示中に電源オフしたときに画ミュートと音声ミュートをかけるのは、ユーザが電源オフしたこと（電源オフモードとなったこと）を知らせるためであるといえる。そして、電源オンオフ表示器を備えた映像表示器において、電源オフにしたことを最もはっきりと知らせる手段は、電源オンオフ表示器をオフ表示とすることであるということは、周知の技術的事項である。
　したがって、引用発明において、ユーザが電源オフしたこと（電源オフモードとなったこと）をより一層はっきりとしらせるために、電源オフ表示器を「電源オフ制御信号に応答し」、「ランプ消灯の遅延時間に電源オフ・モードに見せかける」ものとし、上記相違点に係る本願発明の発明特定事項を得ることは当業者が容易になし得たことである。
　
２  そして、本願発明によってもたらされる効果は、引用発明から当業者が予測し得る程度のものである。
　
３　したがって、本願発明は、引用例１に記載された発明に基づいて当業者が容易に発明をすることができたものである。
　
第７　むすび
　以上のとおり、本願発明は、引用例１に記載された発明に基づいて当業者が容易に発明をすることができたものであるから、特許法第２９条第２項の規定により特許を受けることができない。
　したがって、その余の請求項に係る発明について論及するまでもなく、本願は拒絶すべきものである。
　
　よって、結論のとおり審決する。